(57)【特許請求の範囲】
【請求項１】
光ディスクの記録特性に応じて記録用レーザビームのレーザパワーを調整してデータの記録を行う光ディスク装置であって、
記録信号に基づき発光素子を駆動して記録用光ビームを出射させる発光駆動手段と、
前記光ディスクからの反射光量レベルを検出する反射光量検出手段と、
記録信号に基づくパルス波形の記録パワーに対し前記記録パワーを増強するパワードパワーを前記反射光量レベルに応じて定められる期間だけ前記パルス波形の記録パワーに重畳するパワード制御手段とを
有することを特徴とする光ディスク装置。
【請求項２】
請求項１記載の光ディスク装置において、
前記パワード制御手段は、前記反射光量レベルと所定の閾値とを比較して前記反射光量レベルが閾値を越える期間を判定する比較手段と、
前記反射光量レベルが閾値を越える期間に前記パワードパワーを前記パルス波形の記録パワーに重畳するパワード重畳手段とを
有することを特徴とする光ディスク装置。
【請求項３】
請求項２記載の光ディスク装置において、
前記パワード重畳手段は、前記パワードパワーを重畳する期間の最小値及び最大値を制限する制限手段を
有することを特徴とする光ディスク装置。
【請求項４】
請求項２記載の光ディスク装置において、
前記閾値は、光ディスクの記録特性に応じた最適光パワーを設定する記録パワー設定動作時に、前記最適光パワーに対応する反射光量レベルを設定することを特徴とする光ディスク装置。
【請求項５】
請求項４記載の光ディスク装置において、
前記パワード重畳手段は、前記記録パワー設定動作時に、テスト記録信号のパルス波形の記録パワーに前記パワードパワーを固定期間だけ重畳することを特徴とする光ディスク装置。
【請求項６】
請求項１記載の光ディスク装置において、
前記パワード制御手段は、前記記録信号に基づくパルス波形の記録パワーを信号再生に必要とされる再生パワーに対し重畳することを特徴とする光ディスク装置。
【発明の詳細な説明】
【０００１】
【発明の属する技術分野】
本発明は光ディスク装置に関し、特に、ＣＤ−Ｒ等の追記型の光ディスクにデータ記録を行うことが可能な光ディスク装置に関する。
【０００２】
【従来の技術】
データ記録が可能な記録型の光ディスクには、ＣＤ−ＲやＤＶＤ−Ｒ等の追記型（ＷｒｉｔｅＯｎｃｅ）の光ディスクと、ＣＤ−ＲＷ等の書き換え可能型（Ｅｒａｓａｂｌｅ）の光ディスクとがある。
図８は従来のデータ記録を行うことが可能な光ディスク装置の一例のブロック図を示す。同図中、スピンドルモータ１０は光ディスク１２を所定の回転速度で回転駆動する。スレッドモータ１４は光ピックアップ１６をディスク半径方向に移動させる。光ピックアップ１６は光学系対物レンズ、アクチュエータ、1/4 波長板、コリメータレンズ、ビームスプリッタ、発光素子（レーザダイオード）、受光素子（光検出器）等から構成されている。
【０００３】
レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【０００４】
ウォブル信号処理部２４はＡＴＩＰ信号の復調処理を行う。なお、記録型の光ディスクにはガイド用のプリグルーブ（溝）が設けられている。ＣＤ−Ｒの場合、プリグルーブは中心周波数２２．０５ｋＨｚで極僅かにラジアル方向にウォブル（蛇行）しており、ＡＴＩＰ（Ａｂｓｏｌｕｔｅ  ＴｉｍｅＩｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【０００５】
ＲＦアンプ２６は再生信号を増幅するヘッドアンプである。このＲＦアンブ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【０００６】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、メディアの記録時の特性に合わせたデータ補正処理を行う。このときの補正量は記録層の特性、記録レーザビームのプロファイル、記録を行う線速度等により変化する。
【０００７】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【０００８】
ＣＰＵ４２はメカ動作を含むＣＤ−Ｒドライブ全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
ＣＤ−Ｒ等の記録が可能な光ディスク装置では、データの記録の際に正確なピットを形成するために、下記のような工夫がなされている。
【０００９】
（１）記録パルス幅の設定。記録データは、ＥＦＭ変調されて３Ｔ〜１１Ｔ（Ｔは標準速度（１倍速）にて周波数４．３２ＭＨｚの基準クロックの１周期で２３５ｍｓｅｃ）のパルス幅で記録されるが、記録パルス幅にあった正確なピット形成を行うために、ディスク毎に最適なストラテジ( 記録光パルス幅）を設定する。この情報は、ＣＤ−Ｒディスクに参照値として予め記録される。
【００１０】
（２）記録パワーの設定（ＯＰＣ）。ＯＰＣ（Ｏｐｔｉｍｕｍ  Ｐｏｗｅｒ  Ｃｏｎｔｒｏｌ）は、記録時のレーザビームのパワーを最適にするために考えられたもので、ディスクの中心部のＰＣＡ（Ｐｏｗｅｒ  ＣａｌｉｂｒａｔｉｏｎＡｒｅａ）において、レーザパワーを段階的に１５ステップ変化させてテスト信号を記録した後、その部分を再生してＲＦ信号のエンベロープのピーク（Ｐ）とボトム（Ｂ）の電圧を検出し、β＝（Ｐ＋Ｂ）／（Ｐ−Ｂ）で得た値βが所定値（例えば０．０４）に最も近い段階の記録パワーを最適記録パワーとして設定する。
【００１１】
（３）パワードの設定。ピットを形成する際、通常レーザビームの記録パワーは一定に保持されるが、レーザビームの照射直後はディスク上の温度が低く、照射時間の経過に伴い温度が上昇していくという変化が生じることから、涙滴型のピットが形成されピット形成が安定しない。そこで、レーザビーム照射開始から所定時間( 例えば１．５Ｔ）は記録パワーを通常よりも強くするパワード設定することによって、一定幅のビットを形成するようにする。
【００１２】
（４）ランニングＯＰＣ。記録時におけるディスクからの反射光量( 戻り光量に基づいて、記録パワーが最適となるように常時記録パワーを補正する。
【００１３】
【発明が解決しようとする課題】
現在の光ディスク装置においては、上記パワードの幅は一定の値に固定されている。図９は従来のピット形成の概念図を示す。ピットが形成されない区間であるパルス間は、レーザビームの記録パワーはオフ状態になる。パルス間隔が適正な間隔に維持されている場合は、レーザビームの記録パワー、ピット未形成区間でのディスク表面の冷却時間、及ぴパワード幅のバランスが取れて、図中、ＰＴ１で示すように最適なピットが形成される。
【００１４】
しかし、記録するパルス列の各パルス間隔は一定ではなく、パルス間隔が短いときもあれば長いときもある。故に、パワード幅を固定にすると、記録パルスＲＰ１と記録パルスＲＰ２のようにパルス間隔ｔ３〜ｔ４が短い場合、ｔ３時点で記録パワーがオフになった後、ディスク表面が冷却されないうちに、ｔ４時点で再ぴレーザビームの記録パワーがオンとなってピットの形成を始めるので、ディスク上のピット形成部分の温度が通常よりも速く上昇し、ピットが形成され始めるまでの時間が短くなる。しかし、パワード幅ＷＰが固定のため適切な大きさのピットが形成されても、ｔ５時点まではパワードがオフにならないことから、形成されるピットＰＴ２は、ピットＰＴ１に比べて幅が広く深いものになり、反射光量も少なくなる。
【００１５】
記録パルスＲＰ２と記録パルスＲＰ３のようにパルス間隔ｔ６〜ｔ７が長い場合、ｔ６時点で記録パワーがオフになってからｔ７時点で再ぴレーザビームの記録パワーがオンになるまでの間に、ディスク表面が完全に冷却されてしまうことから、ディスク上のピット形成部分の温度が直ぐに上昇せず、ピット形成時間が長くなる。しかし、パワード幅ＷＰが固定のため、ｔ８時点でピットが完全に形成されないうちにパワードがオフとなってしまうことから、形成されるピットＰＴ３は、形成ピットＰＴ１に比べて幅が狭く浅いものになり、反射光量も多くなる。故に、各パルス間隔が一定でないパルス列データを記録する場合、パワード幅が固定のままであると、形成されるピットの大きさがパルス間隔によって変化してしまい、安定したピット形成が出来ないという問題があった。
【００１６】
本発明は、上記の点に鑑みなされたもので、記録パルス幅及びパルス間隔によらず、一定の大きさのピットを形成することができ、また、光ディスクの感度ムラを補償することができる光ディスク装置を提供することを目的とする。
【００１７】
【課題を解決するための手段】
請求項１に記載の発明は、光ディスクの記録特性に応じて記録用レーザビームのレーザパワーを調整してデータの記録を行う光ディスク装置であって、
記録信号に基づき発光素子を駆動して記録用光ビームを出射させる発光駆動手段と、
前記光ディスクからの反射光量レベルを検出する反射光量検出手段と、
記録信号に基づくパルス波形の記録パワーに対し前記記録パワーを増強するパワードパワーを前記反射光量レベルに応じて定められる期間だけ前記パルス波形の記録パワーに重畳するパワード制御手段とを有する。
【００１８】
このように、パワードパワーを反射光量レベルに応じて定められる期間だけ記録パワーに重畳することにより、記録パルス幅及びパルス間隔によらず、一定の大きさのピットを形成することができる。
請求項２に記載の発明は、請求項１記載の光ディスク装置において、前記パワード制御手段は、前記反射光量レベルと所定の閾値とを比較して前記反射光量レベルが閾値を越える期間を判定する比較手段と、前記反射光量レベルが閾値を越える期間に前記パワードパワーを前記パルス波形の記録パワーに重畳するパワード重畳手段とを有する。
【００１９】
このように、反射光量レベルが閾値を越える期間にパワードパワーをパルス波形の記録パワーに重畳することにより、記録パルス幅及びパルス間隔によらず、一定の大きさのピットを形成することができる。
請求項３に記載の発明は、請求項２記載の光ディスク装置において、
前記パワード重畳手段は、前記パワードパワーを重畳する期間の最小値及び最大値を制限する制限手段を有する。
【００２０】
このように、パワードパワーを重畳する期間の最小値及び最大値を制限するため、パワードパワーを重畳する期間の過大及び過小を防止できる。
請求項４に記載の発明は、請求項２記載の光ディスク装置において、
前記閾値は、光ディスクの記録特性に応じた最適光パワーを設定する記録パワー設定動作時に、前記最適光パワーに対応する反射光量レベルを設定する。
【００２１】
このため、光ディスクの記録特性に応じた反射光量レベルを閾値として設定して光ディスクの感度ムラを補償することができる。
請求項５に記載の発明は、請求項４記載の光ディスク装置において、
前記パワード重畳手段は、前記記録パワー設定動作時に、テスト記録信号のパルス波形の記録パワーに前記パワードパワーを固定期間だけ重畳する。
【００２２】
このように、記録パワー設定動作時に、テスト記録信号のパルス波形の記録パワーにパワードパワーを固定期間重畳するため、ＯＰＣ実行時と通常記録動作時とで、反射光量のパワード成分に差がなくなり、最適記録パワーがずれるおそれがなくなると共に、光ディスクの記録特性に応じた反射光量レベルを閾値として設定することができる。
【００２３】
請求項６に記載の発明は、請求項１記載の光ディスク装置において、
前記パワード制御手段は、前記記録信号に基づくパルス波形の記録パワーを信号再生に必要とされる再生パワーに対し重畳する。
【００２４】
【発明の実施の形態】
図１は、本発明の光ディスク装置の一実施例のブロック図を示す。同図中、図８と同一部分には同一符号を付す。図１において、スピンドルモータ１０は光ディスク１２を所定の回転速度で回転駆動する。スレッドモータ１４は光ピックアップ１６をディスク半径方向に移動させる。光ピックアップ１６は光学系対物レンズ、アクチュエータ、1/4 波長板、コリメータレンズ、ビームスプリッタ、発光素子（レーザダイオード）、受光素子（光検出器）等から構成されている。  レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【００２５】
パワード制御回路５０は、光ディスク１２からの反射光量（戻り光量）レベルと基準レベルとを比較して、その比較結果に応じて記録用レーザパワーの記録パワーに重畳するパワードパワーのパルス幅の制御を行う。
ウォブル信号処理部２４はＡＴＩＰ信号の復調処理を行う。なお、記録型の光ディスクにはガイド用のプリグルーブ（溝）が設けられている。ＣＤ−Ｒの場合、プリグルーブは中心周波数２２．０５ｋＨｚで極僅かにラジアル方向にウォブル（蛇行）しており、ＡＴＩＰ（Ａｂｓｏｌｕｔｅ  ＴｉｍｅＩｎ  Ｐｒｅｇｒｏｏｖｅ）と呼ばれる記録時のアドレス情報や、回転サーボ用の同期信号及び各種制御信号が、最大偏位±１ｋＨｚでＦＳＫ変調により多重されて記録されている。
【００２６】
ＲＦアンプ２６は再生信号を増幅するヘッドアンプである。このＲＦアンブ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【００２７】
ＣＤエンコード／デコード回路３４はＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のエンコード／デコード、及びＥＦＭ（Ｅｉｇｈｔ  ｔｏ  Ｆｏｕｒｔｅｅｎ  Ｍｏｄｕｌａｔｉｏｎ）変調／復調、及び同期検出等の処理を行う。記録補償回路３６はＣＤエンコード／デコード回路３４から送られてくる記録データに対し、メディアの記録時の特性に合わせたデータ補正処理を行う。このときの補正量は記録層の特性、記録レーザビームのプロファイル、記録を行う線速度等により変化する。
【００２８】
ＣＤ−ＲＯＭエンコード/ デコード回路３８はＣＤ−ＲＯＭ固有のＥＣＣ（Ｅｒｒｏｒ  Ｃｏｒｒｅｃｔ  Ｃｏｄｅ）のエンコード／デコード、及びヘッダの検出等の処理を行う。インタフェース／バッファコントローラは４０はホストコンピュータとの間のデータの送受、及びデータバッファの制御を行う。ＲＡＭ３９，４１はデータ処理を行うためにデータを一時格納するための補助メモリである。
【００２９】
ＣＰＵ４２はメカ動作を含むＣＤ−Ｒドライブ全体の制御を司るマイクロコンピュータである。Ｄ／Ａコンバータ４６はＣＤエンコード／デコード回路３４から送出されるオーディオデータをアナログ信号に変換する。オーディオアンプ４８はアナログ変換されたオーディオ信号を増幅して出力する。
図２は、パワード制御回路５０及びその周辺回路の一実施例のブロック図を示す。同図中、レーザドライバ１８にはＡＬＰＣから再生パワー、記録パワー、パワードパワーが供給され、それぞれレーザドライバ１８を構成するスイッチ１８１，１８２，１８３に供給される。スイッチ１８１，１８２，１８３それぞれはパワード制御回路５０内の論理回路５０４から供給されるパルスのハイレベル時にオン、ローレベル時にオフとなるよう制御され、各スイッチの出力するパワーは加算器１８４に供給されて加算される。加算器１８４出力は光ピックアップ１６内のレーザダイオード１６ａに供給され、レーザダイオード１６ａはレーザドライバ１８から供給されるパワー信号のレベルに応じた光強度のレーザ光を出射する。
【００３０】
ＡＬＰＣ２２はフロントモニタ２０の出力に基づいてレーザビームパワーが最適となるように再生パワー、記録パワー、パワードパワー（再生時パワー＜記録時パワー＜パワード時パワー）それぞれを調整してレーザドライバ１８に供給する。
パワード制御回路５０は、Ａ／Ｄ変換器５０１とＤ／Ａ変換器５０２とコンパレータ５０３と論理回路５０４とから構成されている。光ピックアップ１６の受光素子の出力する反射光量レベルはコンパレータ５０３に供給されると共に、Ａ／Ｄ変換器５０１でディジタル化されてＣＰＵ４２に供給されている。コンパレータ５０３はＣＰＵ４２の出力する閾値をＤ／Ａ変換器５０２でアナログ化されて供給されており、コンパレータ５０３は反射光量レベルが閾値を越えたときにハイレベルで、閾値以下のときローレベルとなる信号を生成して論理回路５０４に供給する。
【００３１】
なお、ＣＰＵ４２は通常の記録時にパワード制御回路５０のＤ／Ａ変換器５０２に閾値を供給すると共に、ＡＬＰＣ２２の制御を行う。また、ＯＰＣ実行時には、光ディスクからＡ／Ｄ変換器５０１を介して反射光量データを取り込んでサンプリングし、サンプルデータを元に閾値を設定する。
図３は、論理回路５０４の一実施例のブロック図を示す。図４は論理回路５０４各部の信号タイミングチャートを示す。図３において、端子５０５ａ，５０５ｂ，５０５ｃ，５０５ｄそれぞれにはＣＰＵ４２より再生パルス、記録パルス、最小パワード幅パルス、固定（標準）パワード幅パルスが供給され、端子５０５ｅにはコンパレータ５０３出力が供給され、端子５０５ｆにはＣＰＵ４２より切換制御信号が供給される。
【００３２】
図４（Ａ）に示すような波形の再生パルスは論理回路５０４内をスルーで端子５０６ａから図４（Ｅ）に示す波形でレーザドライバ１８のスイッチ１８１に供給される。図４（Ｂ）に示すような波形の記録パルスはＡＮＤゲート５０７の一方の入力端子に供給されると共に、論理回路５０４内をスルーで端子５０６ｂから図４（Ｆ）に示す波形でレーザドライバ１８のスイッチ１８２に供給される。図４（Ｃ）に示すような波形の最小パワード幅パルスはＯＲゲート５０８の一方の入力端子に供給される。
【００３３】
固定（標準）パワード幅パルスとコンパレータ５０３出力はスイッチ５０９の端子ａ，ｂに供給される。スイッチ５０９は切換制御信号により、ＯＰＣ動作時に固定パワード幅パルスを選択出力し、通常の記録時に図４（Ｄ）に示すような波形のコンパレータ５０３出力を選択出力して、ＯＲゲート５０８の他方の入力端子に供給する。
【００３４】
ＯＲゲート５０８は少なくとも最小パワード幅パルスのパルス幅（例えば０．５Ｔ）で、コンパレータ５０３出力パルス幅がそれ以上のときコンパレータ５０３出力パルス幅となるパワードパルスを生成してＡＮＤゲート５０７の他方の入力端子に供給する。ＡＮＤゲート５０７は記録パルスのハイレベル期間にＯＲゲート５０８出力を取り出し、図４（Ｇ）に示す波形のパワード幅パルスとして端子５０６ｃからレーザドライバ１８のスイッチ１８３に供給する。上記のＯＲゲート５０８及びＡＮＤゲート５０７は、パワード幅パルスのパルス幅、即ちパワードを行う期間を、最小パワード幅パルス以上、かつ、記録パルス幅以下に制限している。これは、パワードパワーを重畳する期間の過大及び過小を防止するためである。
【００３５】
ＣＰＵ４２にホストコンピュータからの記録コマンドが供給されると、ＣＰＵ４２は図４に示すｔ１時点で再生パルスを論理回路５０４に送出し、レーザドライバ１８のスイッチ１８１をオンさせて、再生パワーをレーザダイオード１６ａに供給する。再生パルスは、データの記録動作中は、常時ハイレベル状態になる。
【００３６】
続いて、ｔ２時点で実際にデータを記録するための記録パルスとパワードを付加するための最小パワード幅パルスを論理回路５０４に送出し、レーザドライバ１８のスイッチ１８２，１８３をオンにさせて、記録パワーとパワードパワーをレーザダイオード１６ａに供給する。コンパレータは、ディスクからの反射光量とＣＰＵ４２から供給される閾値とを比較し、反射光量レベルの変化を監視する。
【００３７】
ｔ３時点で反射光量レベルが閾値以下になり、コンパレータ５０３出力がローレベルになると、論理回路５０４はスイッチ１８３をオフにして、パワードパワーの供給を停止させる。このため、ｔ３〜ｔ４間は記録パワーのみでピットが形成される。また、レーザダイオード１６ａに加算器１８４から供給される合成記録パワーが図５（Ａ）に示すような場合、図５（Ｂ）に実線で示す反射光量レベルが得られる。
【００３８】
パルス間隔が適正な間隔に維持されている場合は、レーザビームの記録パワー、ピット未形成区間でのディスク表面の冷却時間のバランスが取れて、図５（Ｃ）にＰＴ１１で示すように最適なピットが形成される。
一方、ｔ４〜ｔ５間のように記録パルスのパルス間隔が短い場合は、ディスク表面が冷却されないうちに、再びレーザビームの記録パワーがオンとなってピットの形成を始めるので、ディスク上のピット形成部分の温度が通常よりも速く上昇し、ピット形成時間が短くなるので反射光量レベルが比較的短時間で低下し、パワードパワーを供給してから反射光量レベルが閾値以下になるまでの時間（ｔ５〜ｔ６）が短くなる。よって、パワード幅は短くなるように制御されることになる。このため、図５（Ｃ）に示すピットＰＴ１２は、ピットＰＴ１１と略同一幅となる。
【００３９】
また、ｔ７〜ｔ８のように記録パルス間隔が長い場合には、記録パワーがオフになってから再びレーザビームの記録パワーがオンになるまでの間に、ディスク表面が完全に冷却されてしまうことから、ディスク上のピット形成部分の温度が直ぐに上昇せず、ピット形成時間が長くなるので、反射光量レベルが比較的緩やかに変化することになり、パワードパワーを供給してから反射光量レベルが閾値以下になるまでの時間（ｔ８〜ｔ９）が長くなる。よって、パワード幅は長くなるように制御されることになる。このため、図５（Ｃ）に示すピットＰＴ１３は、ピットＰＴ１１と略同一幅となる。
【００４０】
本発明では、ＯＰＣ（Ｏｐｔｉｍｕｍ  Ｐｏｗｅｒ  Ｃｏｎｔｒｏｌ）動作時にディスクからの反射光量レベルをサンプリングし、サンプル値を元に閾値を設定する。図６は本発明におけるＣＰＵ４２が実行するＯＰＣ動作のフローチャートを示す。
同図中、ＯＰＣ実行命令が送出されると、ステップＳ１０でスイッチ５０９に切換制御信号を供給して固定パワード幅パルス（パルス幅が例えば１Ｔ）を選択するように設定する。続いてステップＳ１２で段階変数ｎを１に設定し、ステップＳ１４で記録パワーＬＰ（ｎ）を設定する。記録パワーＬＰ（ｎ）はｎが大なるほど大きくなる値である。続いてステップＳ１６にてテスト信号を記録パワーＬＰ（ｎ）で記録する。このとき、記録パルスの先頭部分に、図７（Ａ）に示すように固定パワード幅のパワードパワーが重畳される。
【００４１】
テスト信号の記録中は、ステップＳ１８で光ディスクからの反射光量レベルを監視し、所定位置の反射光量レベルＶｎをサンプリングしてＣＰＵ４２内蔵のメモリに記憶する。反射光量レベルＶｎのサンプリング位置は、図７（Ｂ）に示すように、固定パワード幅パルス（パルス幅が１Ｔ）の終了位置とする。
その後、ステップＳ２０で段階変数ｎが１５であるか否かを判定し、ｎ＝１５でない場合は、ステップＳ２２で段階変数ｎを１だけインクリメントしてステップＳ１４に進み、ステップＳ１４〜Ｓ２２を繰り返す。図７（Ａ），（Ｂ）においては、段階変数ｎ＝１，８，１５それぞれのときの波形を破線、一点鎖線、実線で示している。
【００４２】
１５ステップの記録パワーによるテスト信号の記録が終了すると、ステップＳ２０からステップＳ２４に進み、記録したテスト信号を再生する。そして、ステップＳ２６で各記録パワー毎のＲＦ信号のエンベロープのピーク値（Ｐ）とボトム値（Ｂ）をサンプリングする。次に、ステップＳ２８で次式により値βを算出する。
【００４３】
β＝（Ｐ＋Ｂ）／（Ｐ−Ｂ）
ステップＳ３０では、このβ値が所定の値( 推奨値としては０．０４程度）を越えたと判断された段階の記録パワーを、装着した光ディスクの最適記録パワーとして設定する。そして、ステップＳ３２でサンプリングした各記録パワーの反射光量レベルＶｎ（ｎ＝１〜１５）の中で、最適記録パワーとして設定された記録パワーの反射光量レベルＶＢｎを閾値として設定し、この処理を終了する。
【００４４】
なお、反射光量レベルＶｎのサンプリングは、反射光量レベルが直前のランド部の長さ（３Ｔ〜１１Ｔ）によりばらつきが生じるため、特定の長さの範囲のランド部の後でのみ行う方が動作を安定させることができる。
本発明においては、パワード幅を反射光量レベルに応じて制御するので、記録パルス幅／スペース幅（パルス間隔）によらず、一定の大きさのピットを形成することができる。
【００４５】
また、閾値は、光ディスクの記録特性に応じた最適光パワーを設定するＯＰＣ動作時に最適光パワーに対応する反射光量レベルを設定するため、光ディスクの記録特性に応じた反射光量レベル設定して光ディスクの感度ムラを補償することができる。
上記実施例でＯＰＣ実行時に、固定パワード幅のパワードパワーを記録パワーに重畳しているため、ＯＰＣ実行時と通常記録動作時とにおけるパワード成分に大きな差が生じない。これにより、ＯＰＣで求めた最適記録パワーが通常の記録時にずれることを防止できる。
【００４６】
なお、レーザドライバ１８が請求項記載の発光駆動手段に対応し、光ピックアップ１６が反射光量検出手段に対応し、パワード制御回路５０がパワード制御手段に対応し、コンパレータ５０３が比較手段に対応し、論理回路５０４がパワード重畳手段に対応し、ＡＮＤゲート５０７及びＯＲゲート５０８が制限手段に対応する。
【００４７】
【発明の効果】
上述の如く、請求項１に記載の発明は、光ディスクからの反射光量レベルを検出する反射光量検出手段と、
記録信号に基づくパルス波形の記録パワーに対し前記記録パワーを増強するパワードパワーを前記反射光量レベルに応じて定められる期間だけ前記パルス波形の記録パワーに重畳するパワード制御手段とを有する。
【００４８】
このように、パワードパワーを反射光量レベルに応じて定められる期間だけ記録パワーに重畳することにより、記録パルス幅及びパルス間隔によらず、一定の大きさのピットを形成することができる。
請求項２に記載の発明では、パワード制御手段は、前記反射光量レベルと所定の閾値とを比較して前記反射光量レベルが閾値を越える期間を判定する比較手段と、前記反射光量レベルが閾値を越える期間に前記パワードパワーを前記パルス波形の記録パワーに重畳するパワード重畳手段とを有する。
【００４９】
このように、反射光量レベルが閾値を越える期間にパワードパワーをパルス波形の記録パワーに重畳することにより、記録パルス幅及びパルス間隔によらず、一定の大きさのピットを形成することができる。
請求項３に記載の発明では、パワード重畳手段は、前記パワードパワーを重畳する期間の最小値及び最大値を制限する制限手段を有する。
【００５０】
このように、パワードパワーを重畳する期間の最小値及び最大値を制限するため、パワードパワーを重畳する期間の過大及び過小を防止できる。
請求項４に記載の発明では、閾値は、光ディスクの記録特性に応じた最適光パワーを設定する記録パワー設定動作時に、前記最適光パワーに対応する反射光量レベルを設定する。
【００５１】
このため、光ディスクの記録特性に応じた反射光量レベルを閾値として設定して光ディスクの感度ムラを補償することができる。
請求項５に記載の発明では、パワード重畳手段は、前記記録パワー設定動作時に、テスト記録信号のパルス波形の記録パワーに前記パワードパワーを固定期間だけ重畳する。
【００５２】
このように、記録パワー設定動作時に、テスト記録信号のパルス波形の記録パワーにパワードパワーを固定期間重畳するため、ＯＰＣ実行時と通常記録動作時とで、反射光量のパワード成分に差がなくなり、最適記録パワーがずれるおそれがなくなると共に、光ディスクの記録特性に応じた反射光量レベルを閾値として設定することができる。
【図面の簡単な説明】
【図１】本発明の光ディスク装置の一実施例のブロック図である。
【図２】パワード制御回路５０及びその周辺回路の一実施例のブロック図である。
【図３】論理回路５０４の一実施例のブロック図である。
【図４】論理回路５０４各部の信号タイミングチャートである。
【図５】本発明を説明するための信号波形図である。
【図６】本発明におけるメカコントロールＣＰＵ４２が実行するＯＰＣ動作のフローチャートである。
【図７】本発明におけるパワードパワー及び反射光量レベルＶｎのサンプリング位置を説明するための波形図である。
【図８】従来の光ディスク装置の一例のブロック図である。
【図９】従来のピット形成の概念図である。
【符号の説明】
１０  スピンドルモータ
１２  光ディスク
１４  スレッドモータ
１６  光ピックアップ
１８  レーザドライバ
２０  フロントモニタ
２２  ＡＬＰＣ
２４  ウォブル信号処理部
２６  ＲＦアンプ
２８  フォーカス／トラッキングサーボ回路
３０  送りサーボ回路
３２  スピンドルサーボ回路
３４  ＣＤエンコード／デコード回路
３６  記録補償回路
３８  ＣＤエンコード／デコード回路
４０  インタフェース／バッファコントローラ
４２  ＣＰＵ
４６  Ｄ／Ａコンバータ
４８  オーディオアンプ
５０  パワード制御回路
５０１  Ａ／Ｄ変換器
５０２  Ｄ／Ａ変換器
５０３  コンパレータ
５０４  論理回路
５０７  ＡＮＤゲート
５０８  ＯＲゲート
５０９  スイッチ
【図１】
0003692853.tif 000002
【図２】
0003692853.tif 000003
【図３】
0003692853.tif 000004
【図４】
0003692853.tif 000005
【図５】
0003692853.tif 000006
【図６】
0003692853.tif 000007
【図７】
0003692853.tif 000008
【図８】
0003692853.tif 000009
【図９】
0003692853.tif 000010